(57)【要約】【課題】  ノートパソコン用マウスパッドをノートパソコンに装着した際にしっかりとガタツキ等が無い状態を確保出来ること，又，種々の厚み，形状のノートパソコンに対してもワンタッチで装着可能なこと。【解決手段】  アルミ板製のマウスパッドの裏面にプラスチック製の装着用回転式フック２を２組配置し，ノートパソコン本体の右手前角をより延びる右手前と右横の２片をフックにより強く掴むみ込んで装着する方式とした。又，ノートパソコンへの装着時にはマウスパッド裏面のノートパソコン右下角当てパッド３を含めた３点支持としてノートパソコン右手前へ固定される，回転式フック機構には柔軟性を持たせており，ノートパソコンの本体の厚みに応じてマウスパッド裏面をノートパソコンの右手前に押しつけることにより装着対応出来ることを特徴としている。【選択図】図１
2010165327.tif 000002
【特許請求の範囲】
【請求項１】
ノートパソコンの右手前部分に装着する為ノートパソコンの右手前角より延びる右手前並びに右横の２片を回転式フックにより掴んで固定する方式を採用した事を特徴とするノートパソコン用簡易装着型マウスパッド。
【請求項２】
前記マウスパッドをノートパソコンに装着する際，ノートパソコンの右手前と右横の２箇所を支持点とするフック構造、及びマウスパッド裏面に取り付けたノートパソコン右下角当てパッドとの３点支持による固定方法採用した事を特徴とするノートパソコン用簡易装着型マウスパッド。
【請求項３】
前記マウスパッドをノートパソコンへ装着する際に回転式フック機構を使用する事を特徴とするノートパソコン用簡易装着型マウスパッド。
【請求項４】
前記フック構造にてノートパソコンへの装着時，マウスパッド本体をノートパソコンの右手前上部へ押しつけることによりフックが回転し，フック先端がノートパソコンの裏面へ回り込み，合計２ヶ所のフックにて強力にノートパソコンの縁を掴み込む事を特徴とするノートパソコン用簡易装着型マウスパッド。
【発明の詳細な説明】
【技術分野】
【０００１】  本発明は，ノートパソコン使用時におけるノートパソコン本体取り付け型マウスパッドに関する。
【背景技術】
【０００２】  従来，ノートパソコンにおいては標準仕様である本体組み込み型のマウス機能が装備されている事もあり，外付けマウスについては重要視されておらず，その使用場所がデスク上等に限らないノートパソコンにおいては，本体取り付け型のマウス操作架台が必要とされるが，その様な製品は見当たらない。【０００３】  現状，ノートパソコンに標準装備されているマウス機能では，パソコン画面における範囲指定操作には両手を必要とし，又，画面上のクリック操作等においても無駄な動作が発生する為，作業の効率の低下が発生している。【０００４】  なお，本願発明に関する公知技術として次の特許文献１〜４を挙げることができる。【０００５】
【特許文献１】  特開２００１−２４３０１４号公報
【特許文献２】  特開２００２−２２２０５０号公報
【特許文献３】  特開２００４−２６５３６５号公報
【特許文献４】  特開２００７−３１７１５１号公報（但し，当公報については本出願人本人の申請であり，今時出願はそれの改善後申請によるものである）
【発明の開示】
【発明が解決しようとする課題】
【０００６】  上述の如く，従来のノートパソコン標準装備のマウス機能は操作性や作業効率を度外視し，ノートパソコンへの組み込みという点のみを重視したものであり，ノートパソコンをデスク上で外付けマウスを取り付けて使用するならいざ知らず，ノートパソコンの性格上，デスク以外で使用する場合の操作性や作業効率の確保は難しい。【０００７】  このため，現状ではノートパソコンをデスク以外で使用する場合は，外付けマウスを書籍等を架台にした上で操作して，不便を感じながらも我慢しているのが実態である。【０００８】  本発明は，このような点に鑑みて成されたものであり，その目的は，ノートパソコンに簡単に取り付けられるマウスパッドを作成することにより，どのような使用場所においても外付けマウスの使用が可能となり，操作性や作業効率の改善をはかることができるようにすることにある。
【課題を解決するための手段】
【０００９】  上述の目的を達成する本発明の構造は，アルミ板製のマウスパッドの裏面にプラスチック製の回転式フック機構を配置し，ノートパソコン右手前角より延びる２片のそれぞれを上下より挟み込んで装着する構造としたことを特徴とする。【００１０】  ノートパソコンへの装着時にはマウスパッド裏面をノートパソコンの右手前上部に押しつけることにより，２箇所の回転式フックが回転し，フック先端がノートパソコン裏面に回り込む構造で，ノートパソコンの右手前と右横にてノートパソコン本体の縁を強く掴み込むと共にマウスパッド下部に設置したノートパソコン右下角当てパツドとの３点支持にてノートパソコン本体へ固定する事を特徴としている。
【発明の効果】
【００１１】  以上説明したように本発明によれば，アルミ板製マウスパッドの裏面に様々な厚みのノートパソコンに柔軟に対応出来るプラスチック制の回転式フックを取り付けたことにより，ノートパソコンの右手前上部に押しつけることで様々な厚みのノートパソコンにワンタッチで装着できるようになり，あらゆる場所におけるノートパソコンの外付けマウス使用に対応できることとなり，作業効率の様々大幅な向上が期待できる。【００１２】  以下，本発明の実施の形態を図面に基づき詳細に説明する。【００１３】  図１〜図５の本発明の第一の実施の形態に係り，図１はその裏面よりの外観図，図２はそれをノートパソコンへ取り付けた時の図，図３はノートパソコンへの取り付け時の側面裏よりの図，図４は本発明の主要な部分となる回転式フックの側面図，図５は回転式フックによりノートパソコン本体への装着図である。【００１４】  図１の様に，マウスパッド１の裏面の構造は，２組のプラスチック製のノートパソコンへの装着用回転式フック２とノートパソコン右下角当てパッド３を３点支持式に配した構造となっている。尚，４は同じくプラスチック製のフック定位置帰還用バネ板であり，又５はフック回転軸である。【００１５】  図２，図３に示すように，ノートパソコンへの装着時は，ノートパソコンの右手前上部へマウスパッド裏面を押しつける事により回転式フック２が回転しその先端がノートパソコン裏面に回り込むことによってノートパソコンの右手前と右横にてノートパソコン本体の縁を強く掴み込むと共にマウスパッド下部に設置したノートパソコン右下角当てパツド３との３点支持にてノートパソコン本体へ固定する。【００１６】  図４は本発明の主要な部分となる回転式フックの側面図，図５は回転式フックによるノートパソコン本体への装着図である。
【産業上の利用可能性】
【００１７】  本発明はノートパソコン用のマウスパッドとして，携帯する場合も含めて幅広く利用されることを目的として，製造，販売される可能性がある。
【図面の簡単な説明】
【００１８】
【図１】  本発明の第一の実施の形態に係るノートパソコン用マウスパッドの裏面よりの外観図である。
【図２】  図１のノートパソコン用マウスパッドをノートパソコンへ取り付けた時の外観図です。
【図３】  図１のノートパソコン用マウスパッドをノートパソコンへ装着した時の裏側面よりの外観図です。
【図４】  図１のノートパソコン用マウスパッドの主要部分である装着用回転式フックの側面図です。
【図５】  図１のノートパソコン用マウスパッドをノートパソコンへ装着した際のフック機構の側面図です。
【符号の説明】
【００１９】  １            マウスパッド
２            装着用回転式フック
３            ノートパソコン右下角当てパッド
４            回転式フック定位置帰還用バネ板
５            フック回転軸
６            ノートパソコン本体
【図１】
2010165327.tif 000003
【図２】
2010165327.tif 000004
【図３】
2010165327.tif 000005
【図４】
2010165327.tif 000006
【図５】
2010165327.tif 000007